(57)【要約】【課題】熱、光、磁気、電界、圧力などのエネルギーにより可視画像の書き換え可能なカードを利用し、当該カードがあらかじめ設定されたカードである場合に、カードに記録されているカラー画像情報を書き換える画像提供装置およびカードを提供する。【解決手段】撮影又はスキャナ読取によって画像読取手段１５に画像データを取り込み、取り込んだ画像データの単位毎の色情報を色設定記憶手段１７に記憶されている色情報とエネルギー量との対応関係によりエネルギー情報に変換し、このエネルギー情報と位置情報とを新たに書き換える可視画像情報として画像イメージ記憶手段１８に記憶する。カード判別手段１１はカード１２が所定のカードであるか否かを判別し、所定のカードであるとき、データ消去手段１３でカード１２の可視画像を消去した後、データ書込手段１９で画像イメージ記憶手段１８に記憶されている画像情報により可視画像を書き込む。【選択図】        図１
2005111909.tif 000002
【特許請求の範囲】
【請求項１】
熱、光、磁気、電界、圧力などのエネルギーを与えて可視画像を形成し、前記可視画像はエネルギーを与えることなく保持され、所定のエネルギーを与えることで可視画像が消去され、エネルギーを与えることで可視画像が再び形成される可視画像形成面を有するカードを用いた画像提供装置であって、撮影又はスキャナ読取によって画像データを取り込む画像読取手段と、前記画像読取手段によって取り込んだ前記画像データの単位毎の色情報及び位置情報を記憶する画像データ記憶手段と、エネルギー量と当該エネルギー量に応じた色との対応関係を記憶する色設定記憶手段と、前記画像データ記憶手段から抽出した画像データと前記色設定記憶手段に記憶した色とエネルギー量との対応関係から決定された前記画像データの単位毎の位置情報とエネルギー情報とを記憶する画像イメージ記憶手段と、前記カードがあらかじめ設定されたカードであるか否かを判別するカード判別手段と、前記カードの前記可視画像記録面に所定のエネルギー量を与えて、前記可視画像記録面の情報を消去するデータ消去手段と、前記画像イメージ記憶手段に記憶した前記画像データの単位毎の位置情報とエネルギー情報とから前記カードの前記可視画像記録面に情報を書き込むデータ書込手段とを備えたことを特徴とするカードを用いた画像提供装置。
【請求項２】
熱、光、磁気、電界、圧力などのエネルギーを与えて可視画像を形成し、前記可視画像はエネルギーを与えることなく保持され、所定のエネルギーを与えることで可視画像が消去され、エネルギーを与えることで可視画像が再び形成される可視画像形成面を有するカードを用いた画像提供装置であって、広告依頼者から提供された広告データを記憶する広告情報記憶手段と、前記広告情報記憶手段に記憶された広告データをイメージ化するとともに、イメージ化した広告データの単位毎の色情報及び位置情報を記憶する画像データ記憶手段と、エネルギー量と当該エネルギー量に応じた色との対応関係を記憶する色設定記憶手段と、前記画像データ記憶手段から抽出した広告データと前記色設定記憶手段に記憶した色とエネルギー量との対応関係から決定された前記画像データの単位毎の位置情報とエネルギー情報とを記憶する画像イメージ記憶手段と、前記カードがあらかじめ設定されたカードであるか否かを判別するカード判別手段と、前記カードの前記可視画像記録面に所定のエネルギー量を与えて、前記可視画像記録面の情報を消去するデータ消去手段と、前記画像イメージ記憶手段に記憶した前記画像データの単位毎の位置情報とエネルギー情報とから前記カードの前記可視画像記録面に情報を書き込むデータ書込手段とを備えたことを特徴とするカードを用いた画像提供装置。
【請求項３】
飲食物その他のメニューを選択するメニュー選択手段と、前記メニュー選択手段で選択されたメニューの代金の合計を演算する金額演算手段と、前記カードに記憶された残金と前記金額演算手段で演算したメニュー代金とを比較する残金確認手段と、前記残金確認手段にてメニュー代金よりも前記カードに記憶された残金が多い場合には前記残金から前記メニュー代金を減算する決済手段と、前記決済手段によって減算された金額を前記カードに記憶するデータ記憶手段とを備えたことを特徴とする請求項２に記載のカードを用いた画像提供装置。
【請求項４】
乗車区間、利用時間、又は購入商品などに応じた代金を決定する金額演算手段と、前記カードに記憶された残金と前記金額演算手段で決定した代金とを比較する残金確認手段と、前記残金確認手段にて代金よりも前記カードに記憶された残金が多い場合には前記残金から前記代金を減算する決済手段と、前記決済手段によって減算された金額を前記カードに記憶するデータ記憶手段とを備えたことを特徴とする請求項２に記載のカードを用いた画像提供装置。
【請求項５】
購入代金や利用サービスに応じた利用ポイント数を決定するポイント演算手段と、前記カードに記憶された残ポイント数と前記ポイント演算手段で決定した利用ポイント数とを比較する残ポイント確認手段と、前記残ポイント確認手段にて利用ポイント数よりも前記カードに記憶された残ポイント数が多い場合には前記残ポイント数から前記利用ポイント数を減算する決済手段と、前記決済手段によって減算されたポイント数を前記カードに記憶するデータ記憶手段とを備えたことを特徴とする請求項２に記載のカードを用いた画像提供装置。
【請求項６】
購入代金や利用回数に応じたポイント数を決定するポイント演算手段と、前記カードに記憶されたポイント数に前記ポイント演算手段で演算したポイント数を加算する決済手段と、前記決済手段によって加算されたポイント数を前記カードに記憶するデータ記憶手段とを備えたことを特徴とする請求項２に記載のカードを用いた画像提供装置。
【請求項７】
前記データ記憶手段に記憶する金額を、前記データ書込手段によって、前記画像データの書き込みと同時に前記カードの前記可視画像記録面に書き込むことを特徴とする請求項３に記載のカードを用いた画像提供装置。
【請求項８】
前記色設定記憶手段には、前記可視画像形成面の記録層に応じたエネルギー量と当該エネルギー量に応じた色との対応関係を複数種類記憶し、前記カード判別手段では、前記可視画像形成面の記録層の種類を判別し、前記データ書込手段では、前記カード判別手段で判別した前記可視画像形成面の記録層の種類に応じたエネルギー量と当該エネルギー量に応じた色との対応関係を用いて前記カードの前記可視画像記録面に情報を書き込むことを特徴とする請求項１又は請求項２に記載のカードを用いた画像提供装置。
【請求項９】
前記記録層としてコレステリック液晶性化合物を用いたことを特徴とする請求項１又は請求項２に記載のカードを用いた画像提供装置。
【請求項１０】
熱、光、磁気、電界、圧力などのエネルギーを与えて可視画像を形成し、前記可視画像はエネルギーを与えることなく保持され、所定のエネルギーを与えることで可視画像が消去され、エネルギーを与えることで可視画像が再び形成される可視画像形成面を有するカードであって、撮影又はスキャナ読取によって取り込んだカラー画像を前記可視画像として記録したことを特徴とするカード。
【請求項１１】
撮影又はスキャナ読取によって取り込んだカラー画像は人物のポートレート画像を含むことを特徴とする請求項１０に記載のカード。
【請求項１２】
熱、光、磁気、電界、圧力などのエネルギーを与えて可視画像を形成し、前記可視画像はエネルギーを与えることなく保持され、所定のエネルギーを与えることで可視画像が消去され、エネルギーを与えることで可視画像が再び形成される可視画像形成面を有するカードであって、前記カードの利用者情報および前記カードの使用履歴情報の少なくとも一方を前記可視画像として記録したことを特徴とするカード。
【請求項１３】
カードの利用者情報が利用者を特定する個人情報であることを特徴とする請求項１２に記載のカード。
【請求項１４】
カードの使用履歴情報がカード使用時に決済された金額情報を含むことを特徴とする請求項１２に記載のカード。
【請求項１５】
カードの使用履歴情報がカード使用時に広告依頼者から提供された広告情報を含むことを特徴とする請求項１２に記載のカード。
【請求項１６】
カードの使用履歴情報がカード使用時の購入代金や利用回数に応じたポイント数を含むことを特徴とする請求項１２に記載のカード。
【発明の詳細な説明】
【技術分野】
【０００１】
本発明は、熱、光、磁気、電界、圧力などのエネルギーを与えて可視画像を形成し、可視画像はエネルギーを与えることなく保持され、所定のエネルギーを与えることで可視画像が消去され、エネルギーを与えることで可視画像が再び形成される可視画像形成面を有するカードおよびそれを用いた画像提供装置に関する。
【背景技術】
【０００２】
近年、カードにメモリチップを埋め込んで、メモリチップに金銭残額、いわゆるバリューを記憶させ、カード読み取り装置によりカードを読み取って決済するプリペイドカードや、購入金額に応じて次回以降の購入割引額を蓄積するポイントカードが盛んに利用されており、特許文献にも多くの提案がなされている。
たとえば、半導体チップに記憶された情報をディスプレイに表示させ、表示させた情報が通常の使用、取り扱い、保管中に受ける湾曲では損傷しないチップカードが提案されている。そして、このチップカードは情報の表示に必ずしも電源を必要としないこと、カードに広告を表示できることが提案されている（たとえば、特許文献１）。
また、ユーザプロファイルを記録したスマートカードを使用して、そのユーザプロファイルに基づいて選択された個別設定情報を端末に表示するシステム、および、広告などの個別設定情報を端末の物理的な場所に表示する方法が提案されている（たとえば、特許文献２。）
また、視聴者の視聴条件やポイントが記録されているスマートカードを利用して、特定の番組視聴に応じてポイントを演算し、このポイントを利用することにより番組を確実に視聴させるポイントサービスが提案されている（たとえば、特許文献3）。
また、利用者のインターネット広告の利用に応じて利用者カードにポイントを付与するポイントサービスも提案されている（たとえば、特許文献４）。
【特許文献１】特表２００２−５０１２６３号公報(要約、請求項１、図１５Ａなど)
【特許文献２】特表２００２−５４３５１０号公報（要約、請求項１、４、５）
【特許文献３】特開平１１−１８１１３号公報（請求項１）
【特許文献４】特開２００３−５０９５０号公報（要約、請求項１）
【発明の開示】
【発明が解決しようとする課題】
【０００３】
特許文献１においては、チップカード読取機にチップカードが装着されたときに、広告データベースから広告が取り込まれ、チップカードのメモリにダウンロードすることが記載されている。しかし、メモリ内の既存の広告を書き換えるとの記載はなく、書き換えが行われなければ、メモリに空き容量がない場合は新規の広告をダウンロードすることはできない。
特許文献２においては、スマートカードを端末機に装着したときに、ユーザプロファイルに基づいて広告などの個別設定情報を端末に表示はするが、スマートカードに書き込む旨の記載はない。
特許文献３及び特許文献４には、カードのポイントを書き換えることは記載されているが、書き換えられるポイント情報はカラー画像情報ではなく、また、カードの使用時に広告等のカラー画像を書き込む点についての記載はない。
【０００４】
本発明は、カラー画像を書き換え可能に記録することができるカードを利用し、当該カードがあらかじめ設定されたカードである場合にカードに記録されているカラー画像情報を書き換えるようにしたカードおよびそれを利用した画像提供装置を提供することを目的とする。
【課題を解決するための手段】
【０００５】
請求項１記載の本発明のカードを用いた画像提供装置は、熱、光、磁気、電界、圧力などのエネルギーを与えて可視画像を形成し、前記可視画像はエネルギーを与えることなく保持され、所定のエネルギーを与えることで可視画像が消去され、エネルギーを与えることで可視画像が再び形成される可視画像形成面を有するカードを用いた画像提供装置であって、撮影又はスキャナ読取によって画像データを取り込む画像読取手段と、前記画像読取手段によって取り込んだ前記画像データの単位毎の色情報及び位置情報を記憶する画像データ記憶手段と、エネルギー量と当該エネルギー量に応じた色との対応関係を記憶する色設定記憶手段と、前記画像データ記憶手段から抽出した画像データと前記色設定記憶手段に記憶した色とエネルギー量との対応関係から決定された前記画像データの単位毎の位置情報とエネルギー情報とを記憶する画像イメージ記憶手段と、前記カードがあらかじめ設定されたカードであるか否かを判別するカード判別手段と、前記カードの前記可視画像記録面に所定のエネルギー量を与えて、前記可視画像記録面の情報を消去するデータ消去手段と、前記画像イメージ記憶手段に記憶した前記画像データの単位毎の位置情報とエネルギー情報とから前記カードの前記可視画像記録面に情報を書き込むデータ書込手段とを備えたことを特徴とする。
請求項２記載の本発明のカードを用いた画像提供装置は、熱、光、磁気、電界、圧力などのエネルギーを与えて可視画像を形成し、前記可視画像はエネルギーを与えることなく保持され、所定のエネルギーを与えることで可視画像が消去され、エネルギーを与えることで可視画像が再び形成される可視画像形成面を有するカードを用いた画像提供装置であって、広告依頼者から提供された広告データを記憶する広告情報記憶手段と、前記広告情報記憶手段に記憶された広告データをイメージ化するとともに、イメージ化した広告データの単位毎の色情報及び位置情報を記憶する画像データ記憶手段と、エネルギー量と当該エネルギー量に応じた色との対応関係を記憶する色設定記憶手段と、前記画像データ記憶手段から抽出した広告データと前記色設定記憶手段に記憶した色とエネルギー量との対応関係から決定された前記画像データの単位毎の位置情報とエネルギー情報とを記憶する画像イメージ記憶手段と、前記カードがあらかじめ設定されたカードであるか否かを判別するカード判別手段と、前記カードの前記可視画像記録面に所定のエネルギー量を与えて前記可視画像記録面の情報を消去するデータ消去手段と、前記画像イメージ記憶手段に記憶した前記画像データの単位毎の位置情報とエネルギー情報とから前記カードの前記可視画像記録面に情報を書き込むデータ書込手段とを備えたことを特徴とする。
請求項３記載の本発明は、請求項２に記載のカードを用いた画像提供装置において、    飲食物その他のメニューを選択するメニュー選択手段と、前記メニュー選択手段で選択されたメニューの代金の合計を演算する金額演算手段と、前記カードに記憶された残金と前記金額演算手段で演算したメニュー代金とを比較する残金確認手段と、前記残金確認手段にてメニュー代金よりも前記カードに記憶された残金が多い場合には前記残金から前記メニュー代金を減算する決済手段と、前記決済手段によって減算された金額を前記カードに記憶するデータ記憶手段とを備えたことを特徴とする。
請求項４記載の本発明は、請求項２に記載のカードを用いた画像提供装置において、乗車区間、利用時間、又は購入商品などに応じた代金を決定する金額演算手段と、前記カードに記憶された残金と前記金額演算手段で決定した代金とを比較する残金確認手段と、前記残金確認手段にて代金よりも前記カードに記憶された残金が多い場合には前記残金から前記代金を減算する決済手段と、前記決済手段によって減算された金額を前記カードに記憶するデータ記憶手段とを備えたことを特徴とする。
請求項５記載の本発明は、請求項２に記載のカードを用いた画像提供装置において、購入代金や利用サービスに応じた利用ポイント数を決定するポイント演算手段と、前記カードに記憶された残ポイント数と前記ポイント演算手段で決定した利用ポイント数とを比較する残ポイント確認手段と、前記残ポイント確認手段にて利用ポイント数よりも前記カードに記憶された残ポイント数が多い場合には前記残ポイント数から前記利用ポイント数を減算する決済手段と、前記決済手段によって減算されたポイント数を前記カードに記憶するデータ記憶手段とを備えたことを特徴とする。
請求項６記載の本発明は、請求項２に記載のカードを用いた画像提供装置において、購入代金や利用回数に応じたポイント数を決定するポイント演算手段と、前記カードに記憶されたポイント数に前記ポイント演算手段で演算したポイント数を加算する決済手段と、前記決済手段によって加算されたポイント数を前記カードに記憶するデータ記憶手段とを備えたことを特徴とする。
請求項７記載の本発明は、請求項３に記載のカードを用いた画像提供装置において、前記データ記憶手段に記憶する金額を、前記データ書込手段によって、前記画像データの書き込みと同時に前記カードの前記可視画像記録面に書き込むことを特徴とする。
請求項８記載の本発明は、請求項１又は請求項２に記載のカードを用いた画像提供装置において、前記色設定記憶手段には、前記可視画像形成面の記録層に応じたエネルギー量と当該エネルギー量に応じた色との対応関係を複数種類記憶し、前記カード判別手段では、前記可視画像形成面の記録層の種類を判別し、前記データ書込手段では、前記カード判別手段で判別した前記可視画像形成面の記録層の種類に応じたエネルギー量と当該エネルギー量に応じた色との対応関係を用いて前記カードの前記可視画像記録面に情報を書き込むことを特徴とする。
請求項９記載の本発明は、請求項１又は請求項２に記載のカードを用いた画像提供装置において、前記記録層としてコレステリック液晶性化合物を用いたことを特徴とする。
請求項１０記載の本発明のカードは、熱、光、磁気、電界、圧力などのエネルギーを与えて可視画像を形成し、前記可視画像はエネルギーを与えることなく保持され、所定のエネルギーを与えることで可視画像が消去され、エネルギーを与えることで可視画像が再び形成される可視画像形成面を有するカードであって、撮影又はスキャナ読取によって取り込んだカラー画像を前記可視画像として記録したことを特徴とする。
請求項１１記載の本発明は、請求項１０に記載のカードにおいて、撮影又はスキャナ読取によって取り込んだカラー画像は人物のポートレート画像を含むことを特徴とする。
請求項１２記載の本発明のカードは、熱、光、磁気、電界、圧力などのエネルギーを与えて可視画像を形成し、前記可視画像はエネルギーを与えることなく保持され、所定のエネルギーを与えることで可視画像が消去され、エネルギーを与えることで可視画像が再び形成される可視画像形成面を有するカードであって、前記カードの利用者情報および前記カードの使用履歴情報の少なくとも一方を前記可視画像として記録したことを特徴とする。
請求項１３記載の本発明は、請求項１２に記載のカードにおいて、カードの利用者情報が利用者を特定する個人情報であることを特徴とする。
請求項１４記載の本発明は、請求項１２に記載のカードにおいて、カードの使用履歴情報がカード使用時に決済された金額情報を含むことを特徴とする。
請求項１５記載の本発明は、請求項１２に記載のカードにおいて、カードの使用履歴情報がカード使用時に広告依頼者から提供された広告情報を含むことを特徴とする。
請求項１６記載の本発明は、請求項１２に記載のカードにおいて、カードの使用履歴情報がカード使用時の購入代金や利用回数に応じたポイント数を含むことを特徴とする。
【発明の効果】
【０００６】
本発明によれば、カードを利用したとき、当該カードがあらかじめ設定されたカードである場合に、カードに記録されているカラー画像情報の一部または全部を書き換えるので、カード所有者に常に最新のカラー画像情報を提供することができる。
また、カラー画像情報の書き換え時に、カード利用者に関連性が強い最新の広告情報を書き換えることにより、カード利用者に関連性が強い最新の広告情報を提供することができる。
【発明を実施するための最良の形態】
【０００７】
本発明の第１の実施の形態によるカードを用いた画像提供装置は、熱、光、磁気、電界、圧力などのエネルギーを利用して書き換え可能なカードを用いた画像提供装置であって、撮影又はスキャナ読取によってカラー画像データを取り込む画像読取手段と、画像読取手段によって取り込んだ画像データの単位毎の色情報及び位置情報を記憶する画像データ記憶手段と、エネルギー量と当該エネルギー量に応じた色との対応関係を記憶する色設定記憶手段とを有しており、画像データ記憶手段から抽出した画像データと色設定記憶手段に記憶した色とエネルギー量との対応関係から決定された画像データの単位毎の位置情報とエネルギー情報とを画像イメージ記憶手段に記憶し、カードがあらかじめ設定されたカードである場合に、カードの可視画像記録面に所定のエネルギー量を与えて可視画像記録面の情報を消去した後、画像イメージ記憶手段に記憶したカラー画像データを書き込むものである。本実施の形態によれば、カードの使用時などカードがあらかじめ設定されたカードであると認証される毎にカードに記録されているカラー画像を最新のカラー画像に書き換えることによりカード保有者に最新の情報を提供することができる。
本発明の第２の実施の形態によるカードを用いた画像提供装置は、熱、光、磁気、電界、圧力などのエネルギーを利用して書き換え可能なカードを用いた画像提供装置であって、広告依頼者から提供された広告データを記憶する広告情報記憶手段と、広告情報記憶手段に記憶された広告データをイメージ化するとともに、イメージ化した広告データの単位毎の色情報及び位置情報を記憶する画像データ記憶手段と、エネルギー量と当該エネルギー量に応じた色との対応関係を記憶する色設定記憶手段とを有しており、画像データ記憶手段から抽出した広告データと色設定記憶手段に記憶した色とエネルギー量との対応関係から決定された画像データの単位毎の位置情報とエネルギー情報とを画像イメージ記憶手段に記憶し、カードがあらかじめ設定されたカードである場合に、カードの可視画像記録面に所定のエネルギー量を与えて可視画像記録面の情報を消去した後、画像イメージ記憶手段に記憶した広告画像情報を書き込むものである。本実施の形態によれば、カードの使用時などカードがあらかじめ設定されたカードであると認証される毎にカードに記録されているカラー広告画像を最新のカラー広告画像に書き換えることによりカード保有者に最新の広告情報を提供することができる。
本発明の第３の実施の形態は、第２の実施の形態によるカードを用いた画像提供装置において、カードが飲食物その他のメニューの代金決済が可能なＩＤカード機能を有しているものである。本実施の形態によれば、カードでメニューの代金決済をする都度最新の広告情報を提供することができる。
本発明の第４の実施の形態は、第２の実施の形態によるカードを用いた画像提供装置において、カードが乗車区間、利用時間、又は購入商品などに応じた代金を決済するプリペイドカード機能を有しているものである。本実施の形態によれば、カードで代金決済をする都度最新の広告情報を提供することができる。
本発明の第５の実施の形態は、第２の実施の形態によるカードを用いた画像提供装置において、カードが購入代金や利用サービスの代金決済をカードに記録されたポイント数により行うポイントカード機能を有しているものである。本実施の形態によれば、カードのポイントで代金決済された都度最新の広告情報を提供することができる。
本発明の第６の実施の形態は、第２の実施の形態によるカードを用いた画像提供装置において、カードが購入代金や利用サービスの代金に応じてポイント数を付与するポイントカード機能を有しているものである。本実施の形態によれば、カードにポイントが付与された都度最新の広告情報を提供することができる。
本発明の第７の実施の形態は、第３の実施の形態によるカードを用いた画像提供装置において、メニューの代金決済後の残金を最新のカラー広告画像と共に可視画像記録面に書き込むものである。本実施の形態によれば、メニューの代金決済後の残額もカラー画像表示が可能なので、広告表示と残額表示をカードの同一面に行うことができると共に、残額の多少に応じてカラーによる警告表示をすることができる。
本発明の第８の実施の形態は、第１又は第２の実施の形態によるカードを用いた画像提供装置において、色設定記憶手段はエネルギー量と当該エネルギー量に応じた色との対応関係を複数種類記憶しており、カード判別手段が可視画像形成面の記録層の種類を判別して、判別した記録層の種類に応じたエネルギー量と当該エネルギー量に応じた色との対応関係を選択して書き込むものである。本実施の形態によれば、可視画像形成面の記録層の種類に応じて最適なエネルギー量でカラー画像を書き込むことができる。
本発明の第９の実施の形態は、第１又は第２の実施の形態によるカードを用いた画像提供装置において、記録層としてコレステリック液晶性化合物を用いたものである。本実施の形態によれば、書き換え可能なフルカラー画像記録を行うことができる。
本発明の第１０の実施の形態によるカードは、熱、光、磁気、電界、圧力などのエネルギーにより可視画像の書き込み及び消去が可能で、書き込まれた可視画像はエネルギーを与えることなく保持できるカードに、撮影又はスキャナ読取によって取り込んだカラー画像を記録したものである。本実施の形態によれば、カードに記録されたカラー画像を電圧などのエネルギーを与えずに表示させることができると共に、撮影又はスキャナ読取によるカラー画像で自由に書き換えることができる。したがって、書き換え可能なカラー電子プリントを実現することができる。
本発明の第１１の実施の形態は、第１０の実施の形態によるカードにおいて、撮影又はスキャナ読取によって取り込んだカラー画像が人物のポートレート画像を含むものである。本実施の形態によれば、カードをＩＤカードとして利用すればＩＤカードの顔写真をカメラで撮影したりスキャナで読取った最新のポートレートによって更新することができる。また、本実施の形態によるカードを街角に配置されているデジタルプリントボックス、いわゆるプリクラ（登録商標）の印画紙の代わりに使用すれば、書き換え可能なプリクラ（登録商標）写真を作成することができる。
本発明の第１２の実施の形態によるカードは、熱、光、磁気、電界、圧力などのエネルギーにより可視画像の書き込み及び消去が可能で、書き込まれた可視画像はエネルギーを与えることなく保持できるカードに、撮影又はスキャナ読取によって取り込んだカラー画像と、カードの利用者情報および使用履歴情報の少なくとも一方を記録したものである。本実施の形態によれば、カードに記録されたカラー画像、カードの利用者情報および使用履歴情報を電圧などのエネルギーを与えずにパッシブに表示させることができると共に、自由に書き換えることができる。したがって、書き換え可能なカラー画像表示が可能な各種のＩＤカードやクレジットカード、ポイントカード、プリペイドカード、定期券、会員証、診察券、キャッシュカードなどを実現することができる。
本発明の第１３の実施の形態は、第１２の実施の形態によるカードにおいて、カードの利用者情報を利用者を特定する個人情報としたものである。本実施の形態によれば、カードをＩＤカードとして使用することができると共に、住所変更など個人情報が変更されたときに同一のカードで書き換えをすることができる。
本発明の第１４の実施の形態は、第１２の実施の形態によるカードにおいて、カードの使用履歴情報がカード使用時に決済された金額情報を含むものである。本実施の形態によれば、カードを残額が変動するプリペイドカードに適用することができる。この場合、残額の多少に応じてカラーによる警告表示をすることもできる。
本発明の第１５の実施の形態は、第１２の実施の形態によるカードにおいて、カードの使用履歴情報がカード使用時に広告依頼者から提供された広告情報を含むものである。本実施の形態によれば、カード使用の都度カードに新しい広告を記録することによりカード使用者に常に最新の広告情報を提供することができる。
本発明の第１６の実施の形態は、第１２の実施の形態によるカードにおいて、カードの使用履歴情報がカード使用時の購入代金や利用回数に応じたポイント数を含むものである。本実施の形態によれば、カードを購入代金や利用サービスの代金に応じてポイント数を付与するポイントカードとして使用することができる。この場合、所定のポイント数がたまった場合に異なる色で表示させることもできる。
【実施例１】
【０００８】
以下、本発明の第１の実施例による画像提供装置について図面を用いて説明する。
図１は、本発明の第１の実施例による画像提供装置のブロック構成図である。
カード判別手段１１は、装填されたカードが画像提供装置に適合して読取や書き込みが可能なリライタブルカード１２であるか否かを判別する。画像提供装置に使用可能なリライタブルカード１２はカラー画像を書き換え可能に記録することができるカードである。リライタブルカード１２としては、プラスチックや金属、ガラスなどの基板にコレステリック液晶性化合物、たとえば、分子量が２０００以下でガラス転移温度が３５℃以上の一般式ＺＯＣＯＲＣＯＯＹ（ＺおよびＹはそれぞれ独立してコレステリル基、水素原子またはアルキル基で、少なくともいずれか一方はコレステリル基であり、Ｒは炭素数が２〜３０の２価の有機基）で表されるコレステリック液晶性化合物の層を記録層として形成したものが使用される。このコレステリック液晶性化合物はコレステリック液晶性を示す紫外線量で照射すると分子配列が変化し、その後水冷または空冷してガラス転移温度以下まで急冷すると照射された光量に応じて変化した分子配列に従って可視光範囲で着色する。すなわち、リライタブルカード１２に光を投射してその反射光を利用する反射型では反射光の、バックライトによる透過型では透過光の波長を異ならせて着色する。光照射をしない位置は不透明になり、反射型では反射光は発生せず、透過型では光が透過しない。
着色したコレステリック液晶性化合物は、室温付近の所定の温度範囲において当該性質を保持するので、カラー画像の記録、保持が可能となる。カラー画像を記録、保持したコレステリック液晶性化合物は、所定の紫外線量以上の光照射によってカラー画像は消去され、可逆的にカラー画像の記録、消去を行うことができる。従って、書き換え可能なカラー画像静止画記録を実現することができる。なお、コレステリック液晶性化合物は、温度や紫外線以外のエネルギーでも分子配列の変化を行うことができる。また、本実施例ではコレステリック液晶性化合物を用いて説明するが、熱、光、磁気、電界、圧力などのエネルギーを与えて可視画像を形成し、この可視画像はエネルギーを与えることなく保持され、所定のエネルギーを与えることで可視画像が消去され、エネルギーを与えることで可視画像が再び形成される材料であれば、コレステリック液晶性化合物に限定されるものではない。他の実施例においても同様である。
【０００９】
データ消去手段１３は、リライタブルカード１２にすでに記録されている画像データを消去する装置で、リライタブルカード１２の記録層であるコレステリック液晶性化合物を所定以上のエネルギーを与えて画像データを消去する。材質情報読取手段１４は、リライタブルカード１２の記録層であるコレステリック液晶性化合物の種類、属性を読み取る装置である。コレステリック液晶性化合物は前述した一般式で表される材料であるが、その分子式や分子量によって、照射された光量に応じて変化する分子配列が異なり、使用される材料が異なれば同じ光量でも着色される色が異なる。そのため、材質情報読取手段１４は装填されたリライタブルカード１２の材質を読み取って後述するデータ書込手段１９の書き込み条件である光量値を設定する。
画像読取手段１５は記録するカラー画像データを入力する装置で、人物を撮影するデジタルカメラや人物写真などを電子データとして取り込むスキャナが使用される。画像データ記憶手段１６は画像読取手段１５からのカラー静止画像データを画像データの所定の単位毎に色情報及び位置情報を記憶、蓄積するメモリで、画像提供装置に組み込まれたメモリで構成されるが、画像データ記憶手段１６として、画像読取手段１５での記録に使用されたフレキシブルメモリを画像提供装置に装着するように構成してもよい。
色設定記憶手段１７は、データ書込手段１９でリライタブルカード１２に画像を書き込む際に照射するレーザ光量とその光量に対応してリライタブルカード１２の記録層に着色される色との対応関係を記憶するテーブルメモリなどによるメモリで、記録する色に対応した照射光量値を決定する。記録する色とそれに対応した照射光量値の関係は前述したように記録層に使用されるコレステリック液晶性化合物の種類により異なるので、使用される材料別に複数のテーブルメモリを設ける。
画像イメージ記憶手段１８は、画像データ記憶手段１６からのカラー画像データの位置情報により記録すべきカラー画像の各画素の位置情報を記憶する。また、画像データ記憶手段１６からのカラー画像データの色情報と材質情報読取手段１４からの材質情報により色設定記憶手段１７の該当するテーブルメモリを参照して各画素の色を設定するための光量情報を記憶する。
データ書込手段１９はリライタブルカード１２にカラー画像を書き込む装置で、画像イメージ記憶手段１８からの情報に基づいてレーザ光の光量および照射位置を制御しながらリライタブルカード１２にレーザ光を走査しながら記録する。なお、リライタブルカード２０は書き換え動作終了後の新しいリライタブルカードを示している。
【００１０】
次に、図１に示した本実施例による画像提供装置の動作について、理解を容易にするために、リライタブルカード１２にポートレート画像を記録したいわゆるプリクラ（登録商標）写真を書き換え可能で作成する場合を例に説明するが、本実施例はそれに限定されるものではなく、ＩＤカードの作成などにも適用することができる。
まず、使用者は記録すべきカラー画像としてのポートレートを画像読取手段１５で撮影する。撮影されたポートレート画像は電子データとして画像データ記憶手段１６に蓄積される。なお、ポートレートをあらかじめ撮影してフレキシブルメモリに蓄積している場合や、スキャナによりあらかじめポートレート写真を取り込んだフレキシブルメモリを画像読取手段１５に装着してそれらの電子データを取り込むようにしてもよい。画像読取手段１５で読み取られたポートレート画像は、ポートレート画像の各画素の位置情報と、各画素の色を設定する光量情報に分離されて画像データ記憶手段１６に記憶される。このとき、ポートレートを修飾する枠やサインなどの画像をあらかじめスキャナなどの画像読取手段１５に取り込んでおき、必要に応じてポートレート画像と共に色情報及び位置情報データとして画像データ記憶手段１６に記憶される。
【００１１】
一方、リライタブルカード１２を所定のカード挿入口に挿入すると、カード判別手段１１が挿入されたリライタブルカード１２が画像提供装置に適合したリライタブルカード１２であるか否かを判別し、適合している場合はデータ消去手段１３でリライタブルカード１２にすでに記録されている画像データを消去する。適合しない場合は使用不可としてカード挿入口から返却する。データ消去手段１３でデータ消去されたリライタブルカード１２は、材質情報読取手段１４で記録層の種類、属性を読み取ってその情報を画像イメージ記憶手段１８に与える。
画像イメージ記憶手段１８は、画像データ記憶手段１６から読み取られたポートレート画像の各画素の色情報と材質情報読取手段１４から与えられた記録層の種類、属性情報から、色設定記憶手段１７のテーブルメモリを参照して色情報を当該属性情報に対応した光量情報に変換して画像イメージ記憶手段１８に記憶する。一方、画像データ記憶手段１６から読み取られたポートレート画像の各画素の位置情報は前記光量情報に対応させて画像イメージ記憶手段１８に記憶される。画像イメージ記憶手段１８に記憶されたイメージ画像は、リライタブルカード１２に記録される画像に相当する。
画像イメージ記憶手段１８に記憶されたポートレート画像はデータ書込手段１９に供給され、データ書込手段１９ではポートレート画像に対応してレーザ光の光量および照射位置を制御しながらリライタブルカード１２にレーザ光を走査してカラーポートレート画像を記録する。記録後リライタブルカード１２を常温に冷却するとリライタブルカード１２に記録されたカラーポートレート画像は電圧などのエネルギーを与えなくても可視画像として保持され、新しいポートレート画像で書き換えられたリライタブルカード２０が作成され、新しい画像が提供される。
【実施例２】
【００１２】
次に、本発明の第２の実施例による画像提供装置について図面を用いて説明する。
図２は、本発明の第２の実施例による画像提供装置のブロック構成図、図３は、本発明の第２の実施例におけるリライタブルカードの一例を示す平面図である。
本実施例は、リライタブルカード２１を職場・学校内の食堂での料金決済機能を有するＩＤカードとして使用し、画像提供装置を当該職場や学校内の食堂料金決済および広告画像受信機能を有する装置とした場合の実施例である。リライタブルカード２１は図３に示すように、プラスチック基板２２の一主面にデータ記憶手段としてのＩＣチップ２３、使用者の所属や名前などの個人情報を表示する使用者情報表示欄２４、料金残額表示欄２５および広告表示欄２６を有している。料金残額表示欄２５および広告表示欄２６は書き換え可能な性質を有するように構成され、具体的には実施例１で説明したコレステリック液晶性化合物による記録層で形成される。ＩＣチップ２３には、カード使用者の所属、役職や学年、氏名、住所、電話番号などの個人情報と、チャージされている料金残額などが記憶されている。個人情報表示欄２４は使用者の所属や名前などのカード使用者を特定するための最低限の情報が可視情報として記載されており、住所、電話番号などのその他の個人情報は機密保持の観点からカード面には表示ない。
【００１３】
カード判別手段３１は挿入されるリライタブルカード２１が本実施例による画像提供装置に適合しているリライタブルカード２１であるか否かを判別する。カード情報読込手段３２はリライタブルカード２１が画像提供装置に適合している場合にＩＣチップ２３に記憶されている個人情報を読み取り画像提供装置の動作をスタートさせる。メニュー選択手段３３は使用者が食堂で飲食するメニューをタッチパネルなどにより選択するメニュー選択装置である。金額演算手段３４はメニュー選択手段３３で選択入力された単数または複数のメニューの合計金額を演算する。残金確認手段３５は、カード情報読込手段３２で読み取られた料金残額を一時的に保持する。決済手段３６は、残金確認手段３５に保持されている料金残額と金額演算手段３４で演算された金額とにより使用金額を決済処理する。
広告情報記憶手段３７はインターネット網３８などにより広告主３９から提供されたカラー画像による広告情報を記憶するデータベースで、広告主３９の操作または指示により随時書き換えられる。画像データ記憶手段４０は広告情報記憶手段３７からのカラー静止画像データを画像データの所定の単位毎に色情報及び位置情報を記憶、蓄積するメモリである。色設定記憶手段４１は、データ書込手段４５でリライタブルカード２１に画像を書き込む際に照射するレーザ光量とその光量に対応してリライタブルカード２１の記録層に着色される色との対応関係を記憶するテーブルメモリなどによるメモリで、記録する色に対応した照射光量値を決定する。画像イメージ記憶手段４２は、画像データ記憶手段４０からのカラー画像データの位置情報により記録すべきカラー画像の各画素の位置情報を記憶する。また、画像データ記憶手段４０からのカラー画像データの色情報により色設定記憶手段４１の該当するテーブルメモリを参照して各画素の色を設定するための光量情報を記憶する。
広告データ抽出手段４３は、カード情報読込手段３２から読み出された個人情報に従って、画像イメージ記憶手段４２に記憶された広告データから当該個人に関連する広告データを抽出する。データ消去手段４４は、リライタブルカード２１にすでに記録されている画像データを消去する装置で、リライタブルカード２１の料金残額表示欄２５および広告表示欄２６を所定のエネルギーを与えて画像データを消去する。
データ書込手段４５はリライタブルカード２１にカラー画像を書き込む装置で、実施例１で説明したデータ書込手段１９と同一である。
【００１４】
次に、図２に示した本実施例による画像提供装置の動作について説明する。まず、画像提供装置のカード挿入口にリライタブルカード２１を挿入すると、カード判別手段３１は挿入されたリライタブルカード２１が本実施例による画像提供装置に適合しているリライタブルカード２１であるか否かを判別する。この判別は例えばＩＣチップ２３に記録されている個人情報を読み取り、リライタブルカード２１のデザインパターンを読み取るなどの方法で行われる。挿入されたリライタブルカード２１が画像提供装置に適合している場合は、カード情報読込手段３２でＩＣチップ２３に記憶されている個人情報を読み取り、
画像提供装置としての動作をスタートさせる。読み取られた料金残額情報は残金確認手段３５に通知される。
使用者がメニュー選択手段３３で飲食するメニューを入力すると、金額演算手段３４は選択されたメニューの合計金額を演算し、残金確認手段３５で料金残額情報と照合して決済手段３６で決済する。決済の結果は使用履歴としてリライタブルカード２１の裏面に記録され、同時にデータ記憶手段としてのＩＣチップ２３に料金残額が記録される。
【００１５】
一方、カード情報読込手段３２がＩＣチップ２３に記憶されている個人情報を読み取ると、リライタブルカード２１が使用されたと判定されるのでデータ消去手段４４が作動を開始し、リライタブルカード２１の料金残額表示欄２５および広告表示欄２６の画像データを消去する。ついでデータ書込手段４５により、消去されたリライタブルカード２１の料金残額表示欄２５に決済手段３６で決済された後の料金残額が記録される。このとき、料金残額が十分残っている場合と所定の金額以下になった場合で表示色を異ならせることにより残額が少なくなったことを警告することができる。
また、カード情報読込手段３２がＩＣチップ２３に記憶されている個人情報を読み取ると、読み取られた個人情報が広告データ抽出手段４３に与えられる。広告データ抽出手段４３は与えられた個人情報を利用して、画像イメージ記憶手段に記憶されている広告情報の中からその個人に関連するか又は個人の関心が高い広告情報を抽出する。たとえば、個人情報の住所から当該住所近辺の広告主からの広告情報を抽出し、又は個人情報の年齢から当該年齢に関係した広告情報を抽出する。あるいは当該個人の趣味に関連した広告情報、当該個人があらかじめ登録しておいたジャンルの広告情報などを抽出する。抽出された広告情報はデータ書込手段４５により、データ消去手段４４で消去されたリライタブルカード２１の広告表示欄２６に記録される。
以上のようにしてＩＣチップ２３のデータ、料金残額表示欄２５および広告表示欄２６が書き換えられた新しいリライタブルカード４６が作成されて、料金残額表示欄２５および広告表示欄２６に新しい画像が提供される。
【実施例３】
【００１６】
本実施例では、リライタブルカードを実施例２におけるＩＤカードの職場・学校内の食堂での料金決済機能の代わりに、鉄道やバスなどの乗車区間、各種サービスの利用時間、または商店での購入商品などの代金決済機能を付加したＩＤカードとして使用する。この場合の画像提供装置の構成は、図２におけるメニュー選択手段３３の代わりに、鉄道やバスなどの乗車区間の決済では改札口や乗車口のカード決済処理装置を、各種サービスの利用時間や商店での購入商品などの代金決済ではサービス店舗や商店でのカード決済処理装置を利用すればよい。その他の構成及び動作は図２および実施例２と同様である。
【実施例４】
【００１７】
本実施例では、リライタブルカードを実施例2におけるＩＤカードの職場・学校内の食堂での料金決済機能の代わりに、購入代金や利用サービスに応じた利用ポイント数を付与するポイント演算機能を付加したＩＤカードとして使用する。この場合の画像提供装置の構成は、図２におけるメニュー選択手段３３を省略し、残金確認手段３５を残ポイント確認手段に、決済手段３６をポイント演算手段に置き換えればよい。なお、ポイントで決済する場合は決済手段３６をポイントによる決済手段に置き換えればよい。その他の構成及び動作は図２および実施例２と同様である。
【産業上の利用可能性】
【００１８】
以上のように、本発明の画像提供装置は、書き換え可能な領域を有するカードにカメラで撮影したポートレート画像やスキャナで取り込んだカラー画像を記録することができるので、電源不用の電子ペーパーによるプリクラ（登録商標）、電源不用の電子ペーパー、電子記録ボードなどに適用することができる。また、決済機能などを有するＩＤカード使用時に使用者に関連した広告を提供することができるので、書き換え可能な広告機能付きのクレジットカード、ポイントカード、プリペイドカード、定期券、ＩＤカード、会員証、診察券、キャッシュカードなどに適用することができる。
【図面の簡単な説明】
【００１９】
【図１】本発明の第１の実施例による画像提供装置のブロック構成図
【図２】本発明の第２の実施例による画像提供装置のブロック構成図
【図３】本発明の第２の実施例におけるリライタブルカードの一例を示す平面図
【符号の説明】
【００２０】
１１  カード判別手段
１２、２０  リライタブルカード
１３    データ消去手段
１４    材質情報読取手段
１５    画像読取手段
１６    画像データ記憶手段
１７    色設定記憶手段
１８    画像イメージ記憶手段
１９    データ書込手段
２１、４６  リライタブルカード
２２    プラスチック基板
２３    ＩＣチップ
２４    使用者情報表示欄
２５    料金残額表示欄
２６    広告表示欄
３１    カード判別手段
３２    カード情報読込手段
３３    メニュー選択手段
３４    金額演算手段
３５    残金確認手段
３６    決済手段
３７    広告情報記憶手段
３８    インターネット網
３９    広告主
４０    画像データ記憶手段
４１    色設定記憶手段
４２    画像イメージ記憶手段
４３    広告データ抽出手段
４４    データ消去手段
４５    データ書込手段
【図１】
2005111909.tif 000003
【図２】
2005111909.tif 000004
【図３】
2005111909.tif 000005